【手続補正書】
【提出日】平成31年3月8日(2019.3.8)
【手続補正１】
【補正対象書類名】特許請求の範囲
【補正対象項目名】全文
【補正方法】変更
【補正の内容】
【特許請求の範囲】
【請求項１】
ワイヤレス通信中に競合する構成パラメータを解決する方法であって、
現在のセルから新しいセルへの再選択をトリガするステップと、
前記新しいセルへの再選択がトリガされたとき、ユーザ機器(UE)が下りアクセスチャネル(FACH)状態に構成されており、ネットワークエンティティからのレイヤ2確認応答(L2 ACK)メッセージを待っていると判定するステップと、
前記UEが前記FACH状態に構成されており、前記L2 ACKメッセージを待っているとの前記判定に応じて、衝突解決手順を実施するステップであって、前記衝突解決手順が、再構成手順に対して複数の情報要素(IE)のうちのどれを選択すべきかを確立する、ステップと
を含む方法。
【請求項２】
前記衝突解決手順を実施する前記ステップは、
前記再選択をトリガする前に前記ネットワークエンティティから受信した再構成メッセージに前記新しいセルが含まれていることを確立するステップと、
前記再構成手順に対するセル更新確認メッセージに含まれている新しいセルのIEを前記新しいセルに適用するステップであって、前記セル更新確認メッセージは、前記新しいセルに対するセル更新メッセージをトリガしたことに応じて、前記ネットワークエンティティから受信される、ステップと
をさらに含む、請求項1に記載の方法。
【請求項３】
前記新しいセルのIEに基づき、前記新しいセルに対する前記再構成手順を実施するステップであって、前記UEは、前記再構成手順を実施することに応じて現在のセルから前記新しいセルへと再選択する、ステップをさらに含む、請求項2に記載の方法。
【請求項４】
前記新しいセルのIEを含む追加のセル更新メッセージを、前記新しいセルに対する前記ネットワークエンティティに送信するステップであって、前記追加のセル更新メッセージの再構成状態識別子(RSI)は偽(FALSE)に設定される、ステップをさらに含む、請求項2に記載の方法。
【請求項５】
前記衝突解決手順を実施する前記ステップは、
前記再選択をトリガする前に前記ネットワークエンティティから受信した再構成メッセージに前記新しいセルが含まれていないことを確立するステップであって、前記再構成メッセージは、前記新しいセルおよび前記現在のセルとは異なる第3のセルを含む、ステップと、
前記再構成手順に対する前記再構成メッセージに含まれている第3のセルのIEを前記第3のセルに適用するステップと
をさらに含む、請求項1に記載の方法。
【請求項６】
前記第3のセルのIEに基づいて、前記新しいセルに対する前記再構成手順を実施するステップであって、前記UEは、前記再構成手順を実施することに応じて現在のセルから前記新しいセルへと再選択する、ステップをさらに含む、請求項5に記載の方法。
【請求項７】
前記第3のセルのIEを含む追加のセル更新メッセージを前記第3のセルに対する前記ネットワークエンティティに送信するステップであって、前記追加のセル更新メッセージの再構成状態インジケータ(RSI)が偽(FALSE)に設定される、ステップをさらに含む、請求項5に記載の方法。
【請求項８】
前記衝突解決手順を実施する前記ステップは、
前記再選択をトリガする前に前記ネットワークエンティティから受信した再構成メッセージに前記新しいセルが含まれていないことを確立するステップであって、前記再構成メッセージは、前記新しいセルおよび現在のセルとは異なる第3のセルを含む、ステップと、
前記新しいセルのセル品質が、前記第3のセルのセル品質よりも優れているかどうかを判定するステップと、
前記新しいセルの前記セル品質が前記第3のセルの前記セル品質よりも優れているとき、前記再構成手順に対するセル更新確認メッセージに含まれている新しいセルのIEを前記新しいセルに適用するステップであって、前記セル更新確認メッセージは、前記新しいセルに対するセル更新メッセージをトリガしたことに応じて、前記ネットワークエンティティから受信される、ステップと、
前記新しいセルの前記セル品質が前記第3のセルの前記セル品質よりも優れていないとき、前記再構成手順に対する前記再構成メッセージに含まれている第3のセルのIEを前記第3のセルに適用するステップと、
前記新しいセルの前記セル品質が前記第3のセルの前記セル品質よりも優れているかどうかの前記判定に基づき、前記新しいセルのIE、または前記第3のセルのIEのいずれかを含む追加のセル更新メッセージを前記ネットワークエンティティに送信するステップであって、前記追加のセル更新メッセージの再構成状態インジケータ(RSI)が偽(FALSE)に設定される、ステップと
をさらに含む、請求項1に記載の方法。
【請求項９】
前記新しいセルのIEに基づき、前記新しいセルに対する前記再構成手順を実施するステップであって、前記UEは、前記再構成手順を実施することに応じて現在のセルから前記新しいセルへと再選択する、ステップをさらに含む、請求項8に記載の方法。
【請求項１０】
前記第3のセルのIEに基づき、前記第3のセルに対する前記再構成手順を実施するステップであって、前記UEが、前記再構成手順を実施することに応じて現在のセルから前記第3のセルへとリダイレクトする、ステップをさらに含む、請求項8に記載の方法。
【請求項１１】
ワイヤレス通信中に競合する構成パラメータを解決するための装置であって、
データを記憶するように構成されたメモリと、
前記メモリと通信可能に結合された1つまたは複数のプロセッサと
を備え、前記1つまたは複数のプロセッサおよび前記メモリが、
現在のセルから新しいセルへの再選択をトリガすること、
前記新しいセルへの再選択がトリガされたとき、ユーザ機器(UE)が下りアクセスチャネル(FACH)状態に構成されており、ネットワークエンティティからのレイヤ2確認応答(L2 ACK)メッセージを待っていると判定すること、および
前記UEが前記FACH状態に構成されており、前記L2 ACKメッセージを待っているとの前記判定に応じて、衝突解決手順を実施することであって、前記衝突解決手順が、再構成手順に対して複数の情報要素(IE)のうちのどれを選択すべきかを確立する、実施すること
を行うように構成される、装置。
【請求項１２】
前記衝突解決手順を実施するように構成された前記1つまたは複数のプロセッサおよび前記メモリは、
前記新しいセルが、前記再選択をトリガする前に前記ネットワークエンティティから受信した再構成メッセージに含まれることを確立すること、および
前記再構成手順に対するセル更新確認メッセージに含まれている新しいセルのIEを前記新しいセルに適用することであって、前記セル更新確認メッセージは、前記新しいセルに対するセル更新メッセージをトリガしたことに応じて、前記ネットワークエンティティから受信される、適用すること
を行うようにさらに構成される、請求項11に記載の装置。
【請求項１３】
前記1つまたは複数のプロセッサおよび前記メモリは、前記新しいセルのIEに基づき、前記新しいセルに対する前記再構成手順を実施するように構成され、前記UEは、前記再構成手順を実施することに応じて現在のセルから前記新しいセルへと再選択する、請求項12に記載の装置。
【請求項１４】
前記衝突解決手順を実施するように構成された前記1つまたは複数のプロセッサおよび前記メモリは、
前記再選択をトリガする前に前記ネットワークエンティティから受信した再構成メッセージに前記新しいセルが含まれていないことを確立することあって、前記再構成メッセージは、前記新しいセルおよび前記現在のセルとは異なる第3のセルを含むこと、および
前記再構成手順に対する前記再構成メッセージに含まれている第3のセルのIEを前記第3のセルに適用すること
を実施するようにさらに構成される、請求項11に記載の装置。
【請求項１５】
ワイヤレス通信中に競合する構成パラメータを解決するためのコンピュータ実行可能コードを記憶したコンピュータ可読記録媒体であって、前記コードは、請求項1乃至10のいずれか1項に記載の方法をコンピュータに実行させるためのコードを含むコンピュータ可読記録媒体。